(57)【要約】      （修正有）【課題】  取付け様とする目的である家具等の、本体の最下位の側面の位置に装着して、隣接する床面を利用する機構方式で、地震動と共に共振して生じる揺れで、家具の底面と床面との僅かな間隙を捉えて、装置の爪受用ピンが押しバネによって下がり爪受から爪が外れ、突き出し棒が床面に平行して飛び出し、床面に接着して振れを抑制させることのできる、家具転倒防止器具を提供する。【解決手段】  部屋に設置された家具の、最下位の側面の左右両端に各１体（２体で１対）を装着することにより、防振効果を高める機構に構成する。防振器具は左用、右用とも兼用の仕様にする。【選択図】      図１
2005349224.tif 000002
【特許請求の範囲】
【請求項１】
この家具転倒防止器具は、部屋に設置した家具本体の側面の最下部の位置に設置するもので、地震動に共振して床面の間に生じる隙間に、転倒防止器具装置の爪受けが押しバネに押し下げられて爪受から爪が外れ、突き出し棒が床面に対しほぼ平行に飛び出して、床面に接触して振動を抑止して転倒を防止するのが特徴である。
【請求項２】
機能の効果を高める為に、家具の左右に各１体（２体で１対）装着するもので、そのため、この転倒防止器具は左右いずれの方向にも取付けが可能な形態である。
【請求項３】
この家具転倒防止器具は多様な形態の家具に利用範囲を広めるため、強接着テープを使用して取付けも出来るように器具本体の側面は、最大広く確保して全面を強接着テープに対応した形態である。
【請求項４】
この機構は繰り返し機能を働かせることの出来る特徴を持つものである、可動以前の状態に戻す（セット状態）には構造体の突き出し棒を、飛び出してきた方向に押し戻すだけの操作で、突き出し棒の爪が爪受けに掛かる機構である、この爪はバネ材を使用しているので、押し込むだけで組み込まれ収まる仕様である。
【発明の詳細な説明】
【技術分野】
【０００１】  この発明は、地震の振動で転倒の恐れのあるタンス、書棚、食器棚、ロッカーなど家具類の転倒を防止する、家具転倒防止器具に関するものである。
【技術の背景】
【０００２】  特許広報の文献を閲覧して見ると、これらの転倒防止の器具はおおむね３種類の仕様タイプに大別されている。
【０００３】  上述３種類のうちの１種類目の例としては、タンス、書棚、食器棚などの天板と天井の間に突っ張り棒状の物をあてがう方式で、長さが調整できるものや、緩衝装置を組み込んだものなど、下記例
【０００４】
【特許文献１】  特許公開  平８−２７５８３６号  公開特許広報
【特許文献２】  特許公開  平８−２２８８７０号  公開特許広報
【０００５】  上述の２種類目の例としては、タンス、書棚、食器棚などをＬ字型状の取り付金具で、床面や壁面に直接ネジで取付けたり、又ベルトで締め付けて固定する方式など、下記例
【０００６】
【特許文献３】  特許公開  平７−２２７３２８号  公開特許広報
【０００７】  上述の３種類目の例としては、タンス、書棚、食器棚などの下面の前側と床面の間に、傾斜のついたクサビを噛み合せ、転倒を防ぐタイプのものなど、下記例
【特許文献４】  特許公開  平８−３０８６６８号  公開特許広報
【発明の開示】
【発明が解決しようとする課題】
【０００８】  特許文献の１と２の例の転倒防止器具は、家具の天板と天井の間に突っ張り棒状のものをあてがう式の物であるが、一般的な家庭に用いられる建築工法だと、天井の造作は吊り下げ方式が採用されていて、該当の突っ張り棒状のものが軟弱な天井を突き破る恐れが懸念される、これは欠陥要素と捉えられる。【０００９】  特許文献３の例の転倒防止器具は、タンスや書棚など家具にＬ字型の金物状の物をネジなどで締め付け、その反対側を床面や壁面にネジなどで締め付けて固定する方式であるが、家具並びに床面や壁面に、ねじ込み跡を残すことになり、借家などの場合明け渡しの時に、修復に余計な費用をかけなければ成らない、これは欠陥要素と捉えられる。【００１０】  特許文献４の例の転倒防止器具は、一般家庭の装飾的要素の室内備品へ使用には、違和感を覚えるものであり、これは欠陥要素と捉えられる。【００１１】  上述の〔０００８〕〔０００９〕〔００１０〕の欠陥要素を、欠陥と捉え解決の課題とする。
【課題を解決するための手段】
【００１２】  上述の課題を解決させる為にこの発明では、家具本体の下位の側面で、かつ底面の部位周辺の比較的目立ちにくい位置に装着して、隣接する床面を利用する式で、転倒防止器具装置の突き出し棒がその床面に対し平行に飛び出して、突き出し棒が床面に接する様にして転倒を防止するのが特徴である。【００１３】  この発明は装置の機能効果を高めるため、２体（１対）を図１の様に左右の側に各１体を装着する、そのためこの転倒防止器具は、左右いずれの方側にも取り付けが可能な形体にした特徴を持つ。【００１４】  この発明は、一度地震動で装置の機能が働いた後は、次の事態に備える為の操作が容易におこなえる様な機構である。転倒防止器具の構造体を分解調整するなどの煩わしい手間は一切不要で、一度地震動に共振して飛び出した突き出し棒は、押し戻すだけで爪が爪受けに引っ掛かり元の位置に収まる機構を備えた特徴を持つ。
【発明の効果】
【００１５】  本発明の転倒防止器具は地震による家具の傾きで、家具の底面の後部位が２〜３ミリ浮き上がれば、瞬時に、転倒防止器具の突き出し棒の爪が、爪受けから外れてインナーケース面を滑走して飛び出し、床面に接着して振れの増幅を抑止して、家具の転倒を効果的に防止することができるものである。
【発明を実施するための最良の形態】
【００１６】  まず始めに、３Ａ、３Ｂ、３Ｃ、３Ｄ、３Ｅについて解説しておく。    ３Ａアウトケースには１０止板Ｂを取り付けた状態にしておく、    ３Ｂ突き出し棒には７爪と８ピストン受と９止板Ａの３点を取り付けた状態にしておく、    ３Ｃインナーケースには４固定支持板を取り付けて６引バネと３ピストンを組み合わせておく、同時に１爪受および２爪受用ピンを組み合わせ５押バネをはめた状態にしておく。【００１７】  上述の３Ａ〜３Ｃの取り付けや組み合せした状態のものを次の手順で組み合わせる、３Ｃインナーケースのピン穴に、１爪受の切欠部が上側になるように納めて５押バネをはめる、次にこの状態の上側より３ピストンと４固定支持板と６引きバネをまたがせながら３Ｂ突き出し棒を納めて組む、さらにその上側から５押バネを押さえ込みながら３Ａアウトケースを覆い被せる、この状態の下側から、３Ｄの支持板の２爪受用ピン穴に合わせながらはめ合わせれば組立が完了する。【００１８】  ２Ａ図は〔３図〕３Ｂ突き出し棒を押し込んで、バネ板材で加工された７爪が１爪受けにはまった状態の組立図で、上述〔００１７〕でのべた、組立が完了した状態のものである。【００１９】  ２Ｂ図は〔３図〕３Ｂ突き出し棒が、地震の振動で家具と床面の間に２〜３ミリ隙間が生じれば、１爪受が５押しバネによって押し下げられて７爪が１爪受けから外れる、すると３ピストンが６引バネで４固定支持板方向に引き寄せられる、この時９止板Ａを介して３Ｂ突き出し棒も引かれて飛び出す。突き出し棒が飛び出した状態を示した図である。【００２０】  １Ｂ図は２Ａ図中（〔００１７〕でのべた組立が完了状態）のＹ方向から視た断面図である、
又、１Ｃ図は２Ａ図中（〔００１７〕でのべた組立が完了状態）のＺ方向から視た断面図である。
【図面の簡単な説明】
【００２１】
【図１】１Ａ  家具転倒防止器具の発明に係わる、器具の装着の概略図である。  １Ｂ  〔図２〕２ＡのＹ−Ｙ方向から視た断面図である。  １Ｃ  〔図２〕２ＢのＺ−Ｚ方向から視た断面図である。
【図２】２Ａ  〔図３〕３Ｂの突き出し棒の作動前の図面である。（爪が爪受けに掛かった状態）  ２Ｂ  〔図３〕３Ｂの突き出し棒の作動後の図面である。（爪が爪受けから外れた状態）
【図３】３Ａ  アウトケース  ３Ｂ  突き出し棒  ３Ｃ  インナーケース  ３Ｄ  支持板  ３Ｅ  Ｌ字型接続板
【符号の説明】
【００２２】１      爪受
２      爪受用ピン
３      ピストン
４      固定支持板
５      押バネ
６      引バネ
７      爪
８      ピストン受
９      止板Ａ
１０    止板Ｂ
【図１】
2005349224.tif 000003
【図２】
2005349224.tif 000004
【図３】
2005349224.tif 000005